(57)【特許請求の範囲】
【請求項１】
充電器から供給される電源を用いて内蔵電池を充電する情報端末であって、
充電電流を前記内蔵電池へ供給する充電回路が前記充電器に設けられているか否かを判定する充電制御部と、
前記充電回路が前記充電器に設けられている場合、前記充電器に設けられている充電回路を介して出力された充電電流を前記内蔵電池へ供給し、前記充電回路が前記充電器に設けられていない場合、前記情報端末内に設けられている前記充電回路を介して出力された充電電流を前記内蔵電池へ供給する切替制御部と、
前記充電器と接続するステータス端子と、を備え、
前記充電制御部は、
前記充電回路が設けられた前記充電器が接続された時に、前記ステータス端子を介して入力されるステータス信号の変化を検出し、前記充電回路が設けられていない前記充電器が接続された時に、前記ステータス端子を介して入力されるステータス信号の変化を検出しない、
情報端末。
【請求項２】
前記充電制御部は、
前記内蔵電池の電圧が規定電圧を上回りかつ前記切替制御部から出力される充電電流が規定電流を下回った場合、前記充電器に設けられている充電回路もしくは前記情報端末内に設けられている充電回路から前記切替制御部に対する充電電流の出力を停止させる、請求項１に記載の情報端末。
【請求項３】
前記充電制御部は、
前記内蔵電池の電圧が規定電圧を上回りかつ前記切替制御部から出力される充電電流が規定電流を下回った場合、前記充電器に設けられている充電回路もしくは前記情報端末内の設けられている充電回路へイネーブル信号を出力することによって、充電回路から前記切替制御部に対する充電電流の出力を停止させる、請求項２に記載の情報端末。
【請求項４】
前記充電制御部は、
前記内蔵電池の温度が規定温度範囲内である場合、前記内蔵電池の充電を継続し、前記内蔵電池の温度が規定温度範囲外である場合、前記内蔵電池の充電を停止する、請求項１乃至３のいずれか１項に記載の情報端末。
【請求項５】
前記充電制御部は、
前記充電器に設けられている充電回路もしくは前記情報端末内に設けられている充電回路の充電電圧が規定電圧範囲内である場合、前記内蔵電池の充電を開始し、前記充電電圧が規定電圧範囲外である場合、前記内蔵電池の充電を行わない、請求項１乃至４のいずれか１項に記載の情報端末。
【請求項６】
充電器から供給される電源を用いて情報端末の内蔵電池を充電する充電方法であって、
充電電流を前記内蔵電池へ供給する充電回路が前記充電器に設けられているか否かを判定し、
前記充電回路が前記充電器に設けられている場合、前記充電器に設けられている充電回路を介して出力された充電電流を前記内蔵電池へ供給し、前記充電回路が前記充電器に設けられていない場合、前記情報端末内に設けられている前記充電回路を介して出力された充電電流を前記内蔵電池へ供給し、
前記充電回路が設けられた前記充電器が接続された時に、前記充電器と接続するステータス端子を介して入力されるステータス信号の変化を検出し、前記充電回路が設けられていない前記充電器が接続された時に、前記ステータス端子を介して入力されるステータス信号の変化を検出しない、充電方法。
【請求項７】
充電器から供給される電源を用いて情報端末の内蔵電池を充電する処理をコンピュータに実行させるプログラムであって、
充電電流を前記内蔵電池へ供給する充電回路が前記充電器に設けられているか否かを判定し、
前記充電回路が前記充電器に設けられている場合、前記充電器に設けられている充電回路を介して出力された充電電流を前記内蔵電池へ供給し、前記充電回路が前記充電器に設けられていない場合、前記情報端末内に設けられている前記充電回路を介して出力された充電電流を前記内蔵電池へ供給し、
前記充電回路が設けられた前記充電器が接続された時に、前記充電器と接続するステータス端子を介して入力されるステータス信号の変化を検出し、前記充電回路が設けられていない前記充電器が接続された時に、前記ステータス端子を介して入力されるステータス信号の変化を検出しない、ことをコンピュータに実行させるプログラム。
【発明の詳細な説明】
【技術分野】
【０００１】
本発明は情報端末、充電方法及びプログラムに関し、特に充電回路を用いた情報端末、充電方法及びプログラムに関する。
【背景技術】
【０００２】
近年、携帯電話機等の情報端末は、多機能化によって消費電流が増加している。そのため、情報端末は、電池容量を増加させることによって、電池を用いた場合の使用時間を維持もしくは長くするようにしていた。しかし、情報端末の電池容量が増加することによって、電池を充電するための充電電流も増加させる必要がある。このように充電電流が増加すると、充電回路の発熱量も増加する。
【０００３】
近年の情報端末は、小型化が進んでいることから、充電回路の発熱を拡散もしくは放熱させるための面積が限られている。そのため、充電回路の発熱を十分に拡散もしくは放熱させるための技術が要望されている。そこで、このような要望に応えるために、例えば特許文献１に開示されている充電器を用いることが検討されている。特許文献１は、携帯機器に内蔵されている内蔵電池を充電する充電回路を携帯機器に設けるのではなく、充電器に設けている構成を開示している。充電回路を携帯機器に設けるのではなく、充電器に設けることによって、携帯機器における表面温度の上昇を防止することができる。また、充電器は、携帯端末よりもサイズに関する制約が少ないため、充電回路の発熱を拡散もしくは放熱させることが容易である。
【先行技術文献】
【特許文献】
【０００４】
【特許文献１】特開２００９−２４７１６１号公報
【発明の概要】
【発明が解決しようとする課題】
【０００５】
情報端末を使用するユーザは、自宅、会社内もしくは外出先等、様々な場所で充電器を用いることがある。さらに、自宅、会社内もしくは外出先等で用いる充電器は、それぞれ異なり、例えば充電回路を有さない場合もある。このような場合に、充電器に充電回路が設けられていることを前提として、情報端末が充電回路を有さない場合、充電回路が設けられていない充電器を用いて充電することができないという問題がある。
【０００６】
本発明の目的は、上述した課題を解決するために、充電器に充電回路が設けられているか否かにかかわらず充電を行うことができる情報端末、充電方法及びプログラムを提供することにある。
【課題を解決するための手段】
【０００７】
本発明の第１の態様にかかる情報端末は、充電器から供給される電源を用いて内蔵電池を充電する情報端末であって、充電電流を前記内蔵電池へ供給する充電回路が前記充電器に設けられているか否かを判定する充電制御部と、前記充電回路が前記充電器に設けられている場合、前記充電器に設けられている充電回路を介して出力された充電電流を前記内蔵電池へ供給し、前記充電回路が前記充電器に設けられていない場合、前記情報端末内に設けられている前記充電回路を介して出力された充電電流を前記内蔵電池へ供給する切替制御部と、を備えるものである。
【０００８】
本発明の第２の態様にかかる充電方法は、充電器から供給される電源を用いて情報端末の内蔵電池を充電する充電方法であって、充電電流を前記内蔵電池へ供給する充電回路が前記充電器に設けられているか否かを判定し、前記充電回路が前記充電器に設けられている場合、前記充電器に設けられている充電回路を介して出力された充電電流を前記内蔵電池へ供給し、前記充電回路が前記充電器に設けられていない場合、前記情報端末内に設けられている前記充電回路を介して出力された充電電流を前記内蔵電池へ供給するものである。
【０００９】
本発明の第３の態様にかかるプログラムは、充電器から供給される電源を用いて情報端末の内蔵電池を充電する処理をコンピュータに実行させるプログラムであって、充電電流を前記内蔵電池へ供給する充電回路が前記充電器に設けられているか否かを判定し、前記充電回路が前記充電器に設けられている場合、前記充電器に設けられている充電回路を介して出力された充電電流を前記内蔵電池へ供給し、前記充電回路が前記充電器に設けられていない場合、前記情報端末内に設けられている前記充電回路を介して出力された充電電流を前記内蔵電池へ供給することをコンピュータに実行させるものである。
【発明の効果】
【００１０】
本発明によって、充電器に充電回路が設けられているか否かにかかわらず充電を行うことができる情報端末、充電方法及びプログラムを提供することができる。
【図面の簡単な説明】
【００１１】
【図１】実施の形態１にかかる情報端末の構成図である。
【図２】実施の形態１にかかる充電経路を説明する図である。
【図３】実施の形態１にかかるＤＣプラグ及びＤＣジャックを説明する図である。
【図４】実施の形態１にかかるＤＣプラグ及びＤＣジャックを説明する図である。
【図５】実施の形態１にかかる充電経路を説明する図である。
【図６】実施の形態１にかかるＤＣプラグ及びＤＣジャックを説明する図である。
【図７】実施の形態１にかかる情報端末内の充電回路の動作を制御する処理の流れを示す図である。
【図８】実施の形態２にかかる情報端末の構成図である。
【図９】実施の形態２にかかる充電制御処理の流れを示す図である。
【発明を実施するための形態】
【００１２】
（実施の形態１）
以下、図面を参照して本発明の実施の形態について説明する。図１を用いて本発明の実施の形態１にかかる情報端末の構成例について説明する。図１の情報端末２０は、充電制御部２１、切替制御部２２、充電回路２３及び内蔵電池２４を有している。また、情報端末２０は、内蔵電池２４の充電を行う際に、電源として充電器１０と接続する。
【００１３】
充電制御部２１は、充電電流を内蔵電池２４へ供給する充電回路が、充電器１０に設けられているか否かを判定する。充電制御部２１は、例えば充電器１０と情報端末２０とが接続された際に、充電器１０から送信される信号等を用いて、充電器１０に充電回路が設けられているか否かを判定してもよい。充電制御部２１は、充電器１０に充電回路が設けられているか否かに関する情報を切替制御部２２へ出力する。
【００１４】
切替制御部２２は、充電器１０に充電回路が設けられている場合、充電器１０に設けられている充電回路を介して出力された充電電流を内蔵電池２４へ供給する。もしくは、切替制御部２２は、充電器１０に充電回路が設けられていない場合、情報端末２０内に設けられている充電回路２３を介して出力された充電電流を内蔵電池２４へ出力する。充電回路２３は、充電器１０から供給される電源を用いて、充電電流を切替制御部２２へ出力する。
【００１５】
以上説明したように、図１の情報端末２０を用いることによって、充電器１０に充電回路が設けられている場合には、情報端末２０は、充電器１０に設けられた充電回路を用いて内蔵電池２４を充電する。さらに、充電器１０に充電回路が設けられていない場合には、情報端末２０は、自装置内に設けられた充電回路２３を用いて内蔵電池２４を充電する。
【００１６】
例えば、充電中の情報端末２０における発熱を抑えるために充電回路を搭載した充電器が用いられる場合には、情報端末２０は、端末本体の発熱を抑えて内蔵電池２４の充電を行うことができる。さらに、充電中の情報端末２０における発熱を抑えることが意図されておらず、充電回路を搭載していない充電器が用いられる場合には、情報端末２０は、自装置内の充電回路を用いることによって、内蔵電池２４の充電を行うことができる。これによって、情報端末２０は、充電器１０に充電回路が設けられているか否かにかかわらず、内蔵電池２４を充電することができる。
【００１７】
続いて、図２を用いて本発明の実施の形態１にかかる充電経路について説明する。本図の太線の矢印は、充電器３０に充電回路３２が設けられている場合の充電経路を示している。はじめに、充電器３０の構成例について説明する。充電器３０は、ＡＣ／ＤＣ変換部３１及び充電回路３２を有している。
【００１８】
ＡＣ／ＤＣ変換部３１は、交流電流を、情報端末２０において用いられる直流電流に変換する。ＡＣ／ＤＣ変換部３１を有する充電器３０は、充電用アダプターもしくはＡＣアダプター等と称されてもよい。ＡＣ／ＤＣ変換部３１は、変圧器及び整流器等を用いて構成されてもよい。
【００１９】
充電回路３２は、ＡＣ／ＤＣ変換部３１から出力された直流電流をもちいて、内蔵電池２４を充電するために用いる充電電流を生成する。充電回路３２は、生成した充電電流を情報端末２０へ出力する。充電回路３２から出力された充電電流は、切替制御部２２を介して内蔵電池２４へ供給される。
【００２０】
充電制御部２１は、充電回路３２が設けられた充電器３０が接続もしくは挿入された場合、充電回路の有無を示すステータス信号がＬｏｗレベルからＨｉレベルに変化したことを検出する。ステータス信号は、充電制御部２１に入力される信号である。充電制御部２１は、ステータス信号がＬｏｗレベルからＨｉレベルに変化した場合、切替制御部２２へ充電器３０に充電回路３２が設けられていることを通知するメッセージを出力する。さらに、充電制御部２１は、ステータス信号がＬｏｗレベルからＨｉレベルに変化した場合、例えば、充電回路２３へＨｉレベルに設定したイネーブル信号を出力する。
【００２１】
切替制御部２２は、充電制御部２１から、充電器３０に充電回路３２が設けられていることを通知するメッセージを受け取った場合、充電器３０から出力された充電電流を内蔵電池２４へ供給する。
【００２２】
充電回路２３は、充電制御部２１からＨｉレベルに設定されたイネーブル信号が出力された場合、動作を停止する。具体的には、充電回路２３は、充電電流を生成するための動作を停止する。充電制御部２１は、Ｈｉレベルに設定したイネーブル信号を充電回路２３へ出力し、充電回路２３の動作を停止させることによって、充電回路２３における発熱を防止することができる。
【００２３】
また、充電制御部２１は、内蔵電池２４の充電が完了した場合、充電回路３２へＨｉレベルに設定したイネーブル信号を出力してもよい。充電制御部２１は、充電回路３２へＨｉレベルに設定したイネーブル信号を出力することによって、充電回路３２の動作を停止させることができる。
【００２４】
ここで、図３及び図４を用いて、充電制御部２１における充電回路３２を検出するために用いるＤＣプラグ及びＤＣジャックの構成について説明する。図３は、比較例として、充電回路３２の検出を行わない場合のＤＣプラグ５０及びＤＣジャック６０の構成について説明する。ＤＣプラグ５０は、情報端末側に設けられており、ＤＣジャック６０は、充電器側に設けられている。
【００２５】
ＤＣプラグ５０は、電源端子５１及びＧＮＤ端子５２を有している。さらに、ＤＣジャック６０は、電源端子６１及びＧＮＤ端子６２を有している。ＤＣプラグ５０及びＤＣジャック６０が接続した際に、ＧＮＤ端子５２及びＧＮＤ端子６２が接触し、電源端子５１及び電源端子６１が接触する。ＤＣプラグ５０及びＤＣジャック６０が接続することによって、電源端子６１から電源端子５１へ電力が供給される。
【００２６】
続いて、図４を用いて、充電回路３２の検出を行う場合のＤＣプラグ７０及びＤＣジャック８０の構成について説明する。ＤＣプラグ７０は、情報端末側に設けられており、ＤＣジャック８０は、充電器側に設けられている。
【００２７】
ＤＣプラグ７０は、電源端子７１、ＧＮＤ端子７２、ステータス端子７３及びイネーブル端子７４を有している。さらに、ＤＣジャック８０は、電源端子８１、ＧＮＤ端子８２、ステータス端子８３及びイネーブル端子８４を有している。ＤＣプラグ７０及びＤＣジャック８０が接続した際に、電源端子７１及び電源端子８１が接触し、ＧＮＤ端子７２及びＧＮＤ端子８２が接触し、ステータス端子７３及ステータス端子８３が接触し、イネーブル端子７４及びイネーブル端子８４が接触する。
【００２８】
ＤＣジャック８０におけるステータス端子８３及びイネーブル端子８４は、充電器３０において充電回路３２を有する際に設けられる端子である。つまり、充電回路３２を有する充電器３０と、情報端末２０とが接続した場合に、充電制御部２１は、ステータス端子７３を介して入力されるステータス信号が、Ｈｉレベルに設定される。また、充電制御部２１は、充電回路３２の動作を停止させる場合には、イネーブル端子７４及びイネーブル端子８４を介してＤＣジャック８０へＨｉレベルに設定したイネーブル信号を出力する。
【００２９】
続いて、図５を用いて本発明の実施の形態１にかかる充電経路について説明する。本図の太線の矢印は、充電器４０に充電回路が設けられていない場合の充電経路を示している。はじめに、充電器４０の構成例について説明する。充電器４０は、ＡＣ／ＤＣ変換部４１を有している。充電器４０は、図２に示す充電器３０のように充電回路を有していない。
【００３０】
充電器４０及び情報端末２０が接続された場合、図６に示すようにＤＣジャック６０及びＤＣプラグ７０が接続される。充電器４０には、充電回路が設けられていないため、ステータス端子８３及びイネーブル端子８４に相当する端子は存在しない。ＤＣジャック６０及びＤＣプラグ７０が接続されると、電源端子６１及び電源端子７１が接触し、ＧＮＤ端子６２及びＧＮＤ端子７２が接触する。ステータス端子７３に接触される端子がないため、ステータス信号はＨｉレベルに設定されることはなく、Ｌｏｗレベルのままである。
【００３１】
図５に戻り、ＡＣ／ＤＣ変換部４１は、交流電流を、情報端末２０において用いられる直流電流に変換する。ＡＣ／ＤＣ変換部４１は、直流電流を情報端末２０へ出力する。
【００３２】
情報端末２０に設けられた充電回路２３は、ＡＣ／ＤＣ変換部４１から出力された直流電流を用いて、内蔵電池２４を充電するために用いる充電電流を生成する。充電回路２３は、生成した充電電流を、切替制御部２２を介して内蔵電池２４へ供給する。
【００３３】
ここで、充電制御部２１は、ステータス信号がＬｏｗレベルのままであるため、充電器４０には充電回路が設けられていないと判定する。この場合、充電制御部２１は、充電回路２３に対してＬｏｗレベルが設定されたイネーブル信号を出力する。また、充電制御部２１は、切替制御部２２へ充電器４０に充電回路が設けられていないことを通知するメッセージを出力する。
【００３４】
充電回路２３は、充電制御部２１からＬｏｗレベルに設定されたイネーブル信号が出力された場合、動作を継続する。つまり、充電回路２３は、充電電流を切替制御部２２へ出力する。
【００３５】
切替制御部２２は、充電制御部２１から、充電器４０に充電回路が設けられていないことを通知するメッセージを受け取った場合、充電回路２３から出力された充電電流を内蔵電池２４へ供給する。
【００３６】
続いて、図７を用いて本発明の実施の形態１にかかる情報端末２０において、充電回路２３の動作を制御する処理の流れについて説明する。はじめに、情報端末２０は、ＤＣプラグ７０を用いて、充電回路を有する充電器３０もしくは充電回路を有しない充電器４０と接続する（Ｓ１１）。次に、充電制御部２１は、ステータス信号がＬｏｗレベルからＨｉレベルに変化したか否かを判定する（Ｓ１２）。
【００３７】
ステップＳ１２において充電制御部２１は、ステータス信号がＬｏｗレベルからＨｉレベルに変更されたと判定した場合、充電回路２３へＨｉレベルに設定したイネーブル信号を出力し、充電回路２３の動作を停止させる（Ｓ１３）。
【００３８】
ステップＳ１２において、充電制御部２１は、ステータス信号がＬｏｗレベルであると判定した場合、充電回路２３へＬｏｗレベルに設定したイネーブル信号を出力し、充電回路２３を使用して内蔵電池２４の充電を行う（Ｓ１４）。
【００３９】
以上説明したように、本発明の実施の形態１にかかる情報端末２０を用いることによって、情報端末２０が、充電回路３２を有する充電器３０及び充電回路を有しない充電器４０のいずれと接続した場合においても、内蔵電池２４の充電を実行することができる。
【００４０】
具体的には、情報端末２０がＤＣプラグ７０を用い、充電回路３２を有する充電器３０がＤＣジャック８０を用い、充電回路を有しない充電器４０がＤＣジャック６０を用いることによって、情報端末２０は、充電器に充電回路が設けられているか否かを判定することができる。情報端末２０は、充電器に充電回路が設けられているか否かを判定することによって、自装置内の充電回路２３の動作を制御することができる。
【００４１】
そのため、情報端末２０は、充電回路３２を有する充電器３０及び充電回路を有しない充電器４０のいずれと接続した場合においても、内蔵電池２４の充電を実行することができるとともに、充電器３０と接続した場合においては、充電回路２３において発生する発熱を防止することができる。
【００４２】
（実施の形態２）
続いて、図８を用いて本発明の実施の形態２にかかる情報端末１００の構成例について説明する。情報端末１００は、充電制御部１０１、切替制御部１０２、充電回路１０３及び内蔵電池１０４を有している。ここでは、情報端末１００に関して、主に図２の情報端末２と異なる点について説明する。充電制御部１０１は、充電器３０と接続した場合、充電回路３２の充電電圧を検出する。また、充電制御部１０１は、充電器４０と接続した場合、充電回路１０３の充電電圧を検出する。本図の点線矢印は、充電器３０もしくは充電器４０と接続することを示している。
【００４３】
さらに、充電制御部１０１は、内蔵電池１０４を充電中に、内蔵電池１０４の温度を監視し、内蔵電池１０４の温度を検出する。さらに、充電制御部１０１は、内蔵電池１０４を充電中に、内蔵電池１０４の電池電圧及び充電電流を監視し、内蔵電池１０４の電池電圧及び充電電流を検出する。
【００４４】
続いて、図９を用いて、充電制御部１０１が検出した各値を用いた充電制御処理の流れについて説明する。はじめに、充電制御部１０１は、充電回路の監視を行う（Ｓ２１）。充電制御部１０１は、情報端末１００が充電器３０と接続した場合には、充電回路３２の監視を行い、情報端末１００が充電器４０と接続した場合には、充電回路１０３の監視を行う。
【００４５】
次に、充電制御部１０１は、充電回路の充電電圧Ｖｃｈｇが、正常値の範囲内であるか否かを判定する（Ｓ２２）。充電電圧Ｖｃｈｇが正常値の範囲とは、充電電圧Ｖｃｈｇが、最小電圧値Ｖｍｉｎ≦Ｖｃｈｇ≦最大電圧値Ｖｍａｘを満たすことである。最小電圧値Ｖｍｉｎ及び最大電圧値Ｖｍａｘは、予め定められている。
【００４６】
充電電圧Ｖｃｈｇが、最小電圧値Ｖｍｉｎ≦Ｖｃｈｇ≦最大電圧値Ｖｍａｘを満たさない場合、充電制御部１０１は、充電電圧が異常であると判定し、充電を停止する（Ｓ２８）。充電制御部１０１は、充電を停止する場合、充電回路３２もしくは充電回路１０３へハイレベルに設定したイネーブル信号を出力する。
【００４７】
充電電圧Ｖｃｈｇが、最小電圧値Ｖｍｉｎ≦Ｖｃｈｇ≦最大電圧値Ｖｍａｘを満たす場合、充電制御部１０１は、切替制御部１０２へ充電回路３２もしくは充電回路１０３から出力された充電電流を用いて充電を開始するよう指示するメッセージを出力する（Ｓ２３）。
【００４８】
次に、充電制御部１０１は、内蔵電池１０４の電池温度Ｔが正常値の範囲内であるか否かを判定する（Ｓ２４）。電池温度Ｔが正常値の範囲とは、電池温度Ｔが、最小温度Ｔｍｉｎ≦Ｔ≦最大温度Ｔｍａｘを満たすことである。最小温度Ｔｍｉｎ及び最大温度Ｔｍａｘは、予め定められている。
【００４９】
電池温度Ｔが最小温度Ｔｍｉｎ≦Ｔ≦最大温度Ｔｍａｘを満たさない場合、充電制御部１０１は、充電中に異常が発生したと判定し、充電を停止する（Ｓ２８）。電池温度Ｔが最小温度Ｔｍｉｎ≦Ｔ≦最大温度Ｔｍａｘを満たす場合、次に、充電制御部１０１は、内蔵電池１０４に供給される充電電流ｉが規定電流α以下であるか否かを判定する（Ｓ２５）。規定電流αは、内蔵電池１０４が満充電となったか否かを判定するために用いられる。内蔵電池１０４が満充電状態となった場合、内蔵電池１０４に供給される充電電流αは低下する。ここで、充電電流ｉが規定電流α以下となった場合に、満充電となった可能性が高いと判定することができる。
【００５０】
充電制御部１０１は、充電電流ｉが規定電流α以下ではない、つまり、充電電流ｉが規定電流αを上回っていると判定した場合、ステップＳ２２以降の処理を繰り返す。充電制御部１０１は、充電電流ｉが規定電流α以下であると判定した場合、内蔵電池１０４の電池電圧Ｖが規定電圧β以上であるか否かを判定する（Ｓ２６）。規定電圧βは、内蔵電池１０４が満充電となったか否かを判定するために用いられる。
【００５１】
内蔵電池１０４が満充電となった場合、内蔵電池１０４の電池電圧は高くなっている。ここで、充電制御部１０１は、電池電圧Ｖが規定電圧β以上となった場合に、内蔵電池１０４が満充電となったと判定する。つまり、充電制御部１０１は、ステップＳ２５において、充電電流ｉが規定電流α以下であると判定し、ステップＳ２６において、電池電圧Ｖが規定電圧β以上であると判定した場合に、内蔵電池１０４が満充電となったと判定し、充電を完了する（Ｓ２７）。充電制御部１０１は、電池電圧Ｖが規定電圧β以上ではないと判定した場合、つまり、電池電圧Ｖが規定電圧βを下回っていると判定した場合、ステップＳ２２以降の処理を繰り返す。
【００５２】
ステップＳ２７において充電を完了する際に、充電制御部１０１は、充電回路３２もしくは充電回路１０３へＨｉレベルに設定したイネーブル信号を出力する。
【００５３】
以上説明したように、本発明の実施の形態２にかかる情報端末１００を用いることによって、充電回路３２もしくは充電回路１０３の充電電圧及び内蔵電池１０４の電池温度を検出することによって、充電中に異常が発生しているか否かを判定することができる。充電中に異常が発生していると判定した場合には、充電制御部１０１は、充電回路に対してＨｉレベルに設定したイネーブル信号を出力することによって、充電処理を停止することができる。このようにすることによって、例えば、充電中の異常によって、充電回路の発熱が急激に上昇する等の、不測の事態を未然に防止することができる。
【００５４】
さらに、充電制御部１０１は、充電電流ｉ及び電池電圧Ｖを検出することによって、内蔵電池１０４が満充電となっているか否かを判定することができる。充電制御部１０１は、内蔵電池１０４が満充電となったと判定した際に、充電回路を停止させることによって、充電回路における余分な発熱を防止することができる。また、図９においては、内蔵電池１０４が満充電となったか否かを判定するために、ステップＳ２５及びＳ２６を用いる処理について説明したが、いずれか一方のみの処理を実行してもよい。
【００５５】
上述の実施の形態では、本発明をハードウェアの構成として説明したが、本発明は、これに限定されるものではない。本発明は、図７及び図９における処理を、ＣＰＵ（Central Processing Unit）にコンピュータプログラムを実行させることにより実現することも可能である。）
【００５６】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５７】
なお、本発明は上記実施の形態に限られたものではなく、趣旨を逸脱しない範囲で適宜変更することが可能である。例えば、
【符号の説明】
【００５８】
１０  充電器
２０  情報端末
２１  充電制御部
２２  切替制御部
２３  充電回路
２４  内蔵電池
３０  充電器
３１  ＡＣ／ＤＣ変換部
３２  充電回路
４０  充電器
４１  ＡＣ／ＤＣ変換部
５０  ＤＣプラグ
５１  電源端子
５２  ＧＮＤ端子
６０  ＤＣジャック
６１  電源端子
６２  ＧＮＤ端子
７０  ＤＣプラグ
７１  電源端子
７２  ＧＮＤ端子
７３  ステータス端子
７４  イネーブル端子
８０  ＤＣジャック
８１  電源端子
８２  ＧＮＤ端子
８３  ステータス端子
８４  イネーブル端子
１００  情報端末
１０１  充電制御部
１０２  切替制御部
１０３  充電回路
１０４  内蔵電池
【図１】
0006021191.tif 000002
【図２】
0006021191.tif 000003
【図３】
0006021191.tif 000004
【図４】
0006021191.tif 000005
【図５】
0006021191.tif 000006
【図６】
0006021191.tif 000007
【図７】
0006021191.tif 000008
【図８】
0006021191.tif 000009
【図９】
0006021191.tif 000010